(57)【要約】【課題】  子供用安全シートのストラップの張力状態、特にショルダストラップの張力状態、を表示できる張力表示器を提供すること。【解決手段】  子供用安全シートのショルダストラップの経路を設けたショルダパッド本体と；前記ショルダパッド本体に配置され、前記ショルダストラップの張力状態に応じて該ショルダストラップを第１の位置又は第２の位置に設定可能な弾性部材と；を備えたショルダパットに用いる張力表示器であって、前記ショルダストラップの、前記ショルダパッド本体に対する、前記第１の位置又は前記第２の位置を表示する。【選択図】図１
2008521702.tif 000002
【特許請求の範囲】
【請求項１】
子供用安全シートのショルダストラップの経路を設けたショルダパッド本体と；
前記ショルダパッド本体に配置され、前記ショルダストラップの張力状態に応じて該ショルダストラップを第１の位置又は第２の位置に設定可能な弾性部材と；を備えたショルダパットに用いる張力表示器であって、
前記ショルダストラップの、前記ショルダパッド本体に対する、前記第１の位置又は前記第２の位置を表示することを特徴とするショルダパットに用いる張力表示器。
【請求項２】
前記ショルダパッド本体が、前記張力表示器を介して前記ショルダストラップを案内するための、開口を備える、請求項１記載のショルダパットに用いる張力表示器。
【請求項３】
前記ショルダパッド本体には前記張力表示器が褶動自在に装着され、該張力表示器に対して前記弾性部材が作用する、請求項１又は２記載のショルダパットに用いる張力表示器。
【請求項４】
前記弾性部材が、前記第１の位置及び前記第２の位置の間を移動することにより、前記張力表示器が前記ショルダパッド本体に対して褶動する、請求項３記載のショルダパットに用いる張力表示器。
【請求項５】
前記弾性部材の位置に関して視覚的又は聴覚的信号を生成することのできるスイッチが設けられた、請求項３又は４記載のショルダパットに用いる張力表示器。
【請求項６】
前記第１の位置で前記張力表示器が、前記ショルダパッド本体から持ち上げられることにより、前記ショルダストラップが適切な張力状態にないことを示す、請求項３乃至５のいずれか一項に記載のショルダパットに用いる張力表示器。
【請求項７】
前記ショルダストラップに作用する５ニュートンから１０ニュートンの張力によって、前記弾性部材が前記第１の位置から前記第２の位置に移動可能である、請求項１乃至６のいずれかに記載のショルダパットに用いる張力表示器。
【請求項８】
子供用安全シートの着座者の肩部に接するショルダパットにおいて、該ショルダパットが前記子供用安全シートのショルダストラップの経路を規定し、該経路中に、該ショルダストラップが適切な張力状態にあるか否かを示す張力表示器が設けたことを特徴とするショルダパット。
【請求項９】
前記ショルダパットに、前記ショルダストラップを前記経路に対して偏軌させる、弾性部材を配置した、請求項８記載のショルダパット。
【請求項１０】
低い張力状態においては、前記弾性部材が前記ストラップ経路外に移動する、請求項９記載のショルダパット。
【請求項１１】
ショルダストラップが貫通する入口開口と出口開口の間に該ショルダストラップの経路を規定するショルダパッド本体と；
前記ショルダストラップが所定の張力状態にない時には、該ショルダストラップを前記ショルダパッド本体に対して第１の位置に移動させ、また、前記ショルダストラップが所定の張力状態の時には、該ショルダストラップを前記ショルダパッド本体に対して第２の位置に移動させる弾性部材と；を備えたショルダパットに用いる張力表示器であって、
前記ショルダストラップの、前記ショルダパッド本体に対する、前記第１の位置又は前記第２の位置を表示するか、又は、少なくとも前記ショルダパッドが張力状態にあるか否かを表示することを特徴とする張力表示器。
【請求項１２】
前記ショルダパッドにおいて、着座者の肩部に接する面と対向する面上には、該ショルダパッドを前記ショルダストラップに保持する要素を備える、請求項１１記載の張力表示器。
【請求項１３】
添付の図面を参照して本明細書に実質的に記載された張力表示器。
【請求項１４】
添付の図面を参照して本明細書に実質的に記載されたショルダパッド。
【発明の詳細な説明】
【技術分野】
【０００１】
本発明は、乗用車用シートのショルダストラップの張力を示す張力表示器に関し、特に子供用ハーネスに作用する張力状態を表示する張力表示器に関する。
【背景技術】
【０００２】
乗用車の大人用座席に取り付けられたチャイルドシート等の自動車の子供拘束システムでは、子供（着座者）を座席内に保持するハーネスストラップ及び／又は車両にシートを装着するストラップを張力（緊張）状態にする必要がある。従来のストラップで張力状態を得るには、個々のストラップ、特にショルダストラップに取り付けられ、かつ、これらを緊張させる中心ストラップを引き出すことによって行なう態様がある。一方、チャイルドシートに組み込まれた従来のストラップアジャスタ及び／又はベルト装置でストラップを締め付けることによって張力状態を達成させる態様も多く採用されている。
【発明の開示】
【発明が解決しようとする課題】
【０００３】
上述の従来の態様では、感覚的に感じる以外にユーザがストラップの張力状態を評価することのできる手段を持たない。
【０００４】
また、子供用のハーネスを張力状態とするための中心ストラップを具備するにもかかわらず、個別ストラップ、特にショルダストラップ、の実際の張力状態は適正でない場合もある。例えば、中心ストラップに適度な張力を加えても、ハーネスの様々な箇所の摩擦のため、所望のショルダストラップの張力が結果的に得られない場合が考えられる。一方、ショルダストラップの張力は、ハーネスを緊急時に適切な張力状態とするために、ラップストラップ及びクロッチストラップの張力より重要な要素である。
【０００５】
本発明は、子供用安全シートのストラップの張力状態、特にショルダストラップの張力状態、を表示できる張力表示器を得ることを目的とする。
【０００６】
本明細書では、用語「張力表示器」は、少なくとも弛みの無いことを示す装置を意味する。用語「ショルダストラップ」は、ユーザの肩を超えてバックル付きのラップストラップまで、又は左右のラップストラップの間のバックルまで通過するストラップを意味し、少なくとも欧州の規則ではクロッチストラップも具備される。用語「ショルダパッド」は、ユーザへのストラップ荷重を分散させるためのショルダストラップ上のパッドを意味するものとする。通常、ショルダパッドはユーザの胸部上に広がり、動作時に、パッドをショルダストラップの繋留点に、又は少なくともショルダストラップが繋留された座席の構造に接続する副ストラップによって、肩に引き戻される。ショルダパッドはチェストパッドとしても知られる。
【課題を解決するための手段】
【０００７】
本発明は、子供用安全シートのショルダストラップの経路を設けたショルダパッド本体と；前記ショルダパッド本体に配置され、前記ショルダストラップの張力状態に応じて該ショルダストラップを第１の位置又は第２の位置に設定可能な弾性部材と；を備えたショルダパットに用いる張力表示器であって、前記ショルダストラップの、前記ショルダパッド本体に対する、前記第１の位置又は前記第２の位置を表示することを特徴とする。
【０００８】
前記ショルダパッド本体が、前記張力表示器を介して前記ショルダストラップを案内するための、開口を備えると好ましい。
【０００９】
前記ショルダパッド本体には前記張力表示器が褶動自在に装着され、該張力表示器に対して前記弾性部材が作用すると好ましい。
【００１０】
前記弾性部材が、前記第１の位置及び前記第２の位置の間を移動することにより、前記張力表示器が前記ショルダパッド本体に対して褶動すると好ましい。
【００１１】
前記弾性部材の位置に関して視覚的又は聴覚的信号を生成することのできるスイッチが設けると好ましい。
【００１２】
前記第１の位置で前記張力表示器が、前記ショルダパッド本体から持ち上げられることにより、前記ショルダストラップが適切な張力状態にないことを示すと好ましい。
【００１３】
前記ショルダストラップに作用する５ニュートンから１０ニュートンの張力によって、前記弾性部材が前記第１の位置から前記第２の位置に移動可能であると好ましい。
【００１４】
本発明は、子供用安全シートの着座者の肩部に接するショルダパットにおいて、該ショルダパットが前記子供用安全シートのショルダストラップの経路を規定し、該経路中に、該ショルダストラップが適切な張力状態にあるか否かを示す張力表示器を設けたことを特徴とする。
【００１５】
前記ショルダパットに、前記ショルダストラップを前記経路に対して偏軌させる、弾性部材を配置すると好ましい。
【００１６】
低い張力状態においては、前記弾性部材が前記ストラップ経路外に移動すると好ましい。
【００１７】
本発明は、また、ショルダストラップが貫通する入口開口と出口開口の間に該ショルダストラップの経路を規定するショルダパッド本体と；前記ショルダストラップが所定の張力状態にない時には、該ショルダストラップを前記ショルダパッド本体に対して第１の位置に移動させ、また、前記ショルダストラップが所定の張力状態の時には、該ショルダストラップを前記ショルダパッド本体に対して第２の位置に移動させる弾性部材と；を備えたショルダパットに用いる張力表示器であって、前記ショルダストラップの、前記ショルダパッド本体に対する、前記第１の位置又は前記第２の位置を表示するか、又は、少なくとも前記ショルダパッドが張力状態にあるか否かを表示することを特徴とする。
【００１８】
前記ショルダパッドにおいて、着座者の肩部に接する面と対向する面上には、該ショルダパッドを前記ショルダストラップに保持する要素を備えると好ましい。
【発明の効果】
【００１９】
本発明によれば、子供用安全シートのストラップの張力状態、特にショルダストラップの張力状態、を表示できる簡単な構造の張力表示器を得ることができる。
【発明を実施するための最良の形態】
【００２０】
図１及び図２に示すように、ショルダパッドは、一対のショルダパッド本体１（以下、本体１）、弾性部材２、張力表示器３及びアタッチメントストラップ４（図２）を備えおり、このショルダパッドはハーネスのショルダストラップ５（図２）に取り付けられている。本体１及び張力表示器３はポリプロピレン等で形成され、一方、弾性部材２はナイロン等のポリマで形成されている。
【００２１】
本体１は、着座者の肩の輪郭に容易に追従することができる形状に湾曲している。着座者の年齢及び身長は様々であり、衣服の厚さは、例えば夏用シャツから比較的厚い冬用コートまで変化し得る。これに対応するため、本体１は、低弾性で可撓性を有する、上端１１から下端１２に亘る、帯状に形成されている。該上端１１にはスロット１４が形成され、アタッチメントストラップ４を該スロット１４に通してループ状に縫合している。また、本体１の上端１１及び下端１２の近傍には、ショルダストラップ５を通す開口１８を有する、ストラップガイド１５及び１６が形成されている。さらに、一対の本体１のそれぞれには直立フランジ１９が形成され、該直立フランジ１９には、張力表示器３が摺動可能に嵌合する、溝２０が形成されている。なお、この嵌合については後述する。
【００２２】
弾性部材２は、リム２１及びリム２３からなる、側面視略Ｙ字状の部材である。より具体的には、一方のリム２１は、所定の箇所２２で、本体１に溶接されて本体１の輪郭内に延在し、他方のリム２３はその端部２４（Ｙ字の先端部分）が自由端となっている。そして、この端部２４が本体１に向けて押圧されると、端部２４が上端１１から下端１２の方向に移動する。なお、弾性部材２は、図２示されるＹ字形状のみならず、例えばＶ字形状とすることもできる。
【００２３】
張力表示器３は、一対のアーム部材２５（以下、アーム部材２５）及びこれらの各一端部に結合された連結部材２６からなる、平面視略Ｕ字状の部材である（図１）。アーム部材２５の他端部は、中空ボス２７が形成された、自由端となっている。この中空ボス２７には、弾性部材２の端部２４と一体に形成されたペグ２８が係合している。一方、アーム部材２５の上記各一端部には、直立フランジ１９に形成した溝２０に嵌合して張力表示器３を本体１に対して摺動可能に保持する、脚部２９が形成されている。各脚部２９は、対向する互いの端部が連結部材２６と平行に、かつ、ショルダパッドの長手方向の中心に向かって所定長さ延びている。そして、リム２３の端部２４が本体１に向けて押圧されると、連結部材２６が端部１２に向かって移動する。
【００２４】
本体１の各直立フランジ１９の、溝２０が形成されている面と直交する、上面には、ハーネスのショルダストラップ５が不適切な張力状態（第１の位置）であることを示す不良（ｂａｄ）マーク３２、及び、適切な張力状態（第２の位置）にあることを示す適正（ｇｏｏｄ）マーク３１が配置されている。例えば、適正（ｇｏｏｄ）マーク３１が視認される場合は、ショルダストラップ５の張力状態は適切であり、不良（ｂａｄ）マーク３２が視認される場合は、ショルダストラップ５は弛みすぎであることを示している。なお、図１に示す状態は、適正（ｇｏｏｄ）マーク３１及び不良（ｂａｄ）マーク３２が部分的に視認される中間の張力状態を示している。
【００２５】
ショルダストラップ５は、ストラップガイド１５及び１６を貫通し、かつ、弾性部材２の端部２４に接触しつつ、本体１の上端１１から下端１２に亘り延びている（図２）。すなわち、弾性部材２の端部２４（の弾性力）によりショルダストラップ５は、ストラップガイド１５及び１６の間の経路から偏軌している。そして、ショルダストラップ５が所定の張力状態になると、弾性部材２の端部２４が押圧され、不良（ｂａｄ）マーク３２が徐々に隠れて、適正（ｇｏｏｄ）マーク３１だけが視認されるようになる。このようにして、操作者はショルダストラップ５が張力状態を確認することができる。
【００２６】
次に、ショルダパッドの別の実施形態を図３に基づいて説明する。
この実施形態では、張力表示器３、適正（ｇｏｏｄ）マーク３１及び不良（ｂａｄ）マーク３２は、弾性部材２を構成する弾性リム２１及び２３の間に配設されたスイッチ５１に集約されている。不良（ｂａｄ）マーク３２に相当する赤色の「ＮＯ−ＧＯＯＤ」ＬＥＤ５２、及び、適正（ｇｏｏｄ）マーク３１に相当する緑色の「ＧＯＯＤ」ＬＥＤ５３が本体１の直立フランジ１９に配置されている。バッテリを含めた回路等は公知のものを使用できるので、説明を省略する。そして、ハーネスバックルが結合された時、又は、シートに子供の存在が検知されること等により、回路がオンになり、赤色の「ＮＯ−ＧＯＯＤ」ＬＥＤ５２が点灯する（初期状態）。
【００２７】
上記の初期状態から、ショルダストラップ５が張力状態となると、リム２３の端部２４が本体１に向けて押圧されスイッチ５１に接触すると、赤色の「ＮＯ−ＧＯＯＤ」ＬＥＤ５２が消灯し、緑色の「ＧＯＯＤ」ＬＥＤ５３が点灯する。これにより、ショルダストラップ５が適切な張力状態であることが視認できる。
【００２８】
図３には、上述の他の実施形態からさらに別の実施形態、すなわち、リム２３の上面に歪み計６１が配置され、かつ、本体１の直立フランジ１９には追加のＬＥＤ６２及び６３が配置されている。この構成により、ショルダストラップ５の張力状態の漸進的な変化を視認することができる。
【００２９】
本発明は、上述の実施形態に限定されるものではなく、例えば、赤色及び緑色の２つのＬＥＤを単一の２色ＬＥＤに置き換えてもよい。
【図面の簡単な説明】
【００３０】
【図１】本発明に係る張力表示器付きショルダパッドの一実施形態を示す斜視図である。
【図２】ショルダストラップが輪郭線で示された、図１のショルダパッドの側面図である。
【図３】本発明に係る張力表示器付きショルダパッドの他の実施形態を示す斜視図である。
【符号の説明】
【００３１】
１  一対のショルダパッド本体（ショルダパッド本体）
２  弾性部材
３  張力表示器
５  ショルダストラップ
【図１】
2008521702.tif 000003
【図２】
2008521702.tif 000004
【図３】
2008521702.tif 000005
【手続補正書】
【提出日】平成19年10月25日(2007.10.25)
【手続補正１】
【補正対象書類名】図面
【補正対象項目名】全図
【補正方法】変更
【補正の内容】
【図１】
2008521702.tif 000006
【図２】
2008521702.tif 000007
【図３】
2008521702.tif 000008
【国際調査報告】
2008521702.tif 000009
2008521702.tif 000010
2008521702.tif 000011